(57)【特許請求の範囲】
【請求項１】
底部の長手方向における一端から他端側に向けて斜め上方に延出された傾斜板と、
前記底部の前記長手方向における他端側で上方に立ち上げた立板と、
前記傾斜板及び前記底部の間に設けられ、チューブが挿通される第１開孔を有する第１湾曲部と、
前記立板及び前記底部の間に設けられ、前記チューブが挿通される第２開孔を有する第２湾曲部と、
前記底部の上面に設けた第１突起と、
前記傾斜板が前記底部に向けて押圧されたことを受けて前記傾斜板とともに前記底部に向けて移動し、前記傾斜板の先端が前記立板の係止部に係止したときに、前記第１開孔及び前記第２開孔に通された前記チューブを前記第１突起との間で挟持して、該チューブ内の通路を閉塞する、前記傾斜板の下面に設けた第２突起と、
一端部が前記第２突起の基部に、他端部が前記第２湾曲部近傍となる位置で前記底部の上面に各々連結され、前記第１開孔及び前記第２開孔に前記チューブを通す過程で該チューブが挿通される二股部を前記他端部に有する、前記立板に向けて突出するように湾曲した弧状梁と、
を備えることを特徴とする医療用クランプ具。
【請求項２】
前記弧状梁は、前記傾斜板と前記底部とともに一体成型されていることを特徴とする請求項１に記載の医療用クランプ具。
【請求項３】
前記弧状梁は、前記傾斜板の先端を押し下げて前記立板の係止部に係止させるときに、立板側へ向けて膨らむように畳まれることを特徴とする請求項１又は２に記載の医療用クランプ具。
【発明の詳細な説明】
【技術分野】
【０００１】
本発明は、チューブ内を流れる薬液を必要に応じて挟持（閉塞）できるようにした医療クランプ具に関するものである。
【背景技術】
【０００２】
従来の医療用クランプ具は、図４の如く、ほぼ長方形である底部４１の長さ方向の一端側から湾曲部４２を介して斜め上方に延出した傾斜板４３と、前記底部４１の他端側から湾曲部４２′を介して立上げた立板４４とを対向して設け、該立板４４の上部内面に設けた急斜面部４４′に続く係止部４５に、前記傾斜板４３の先端４３′を押し下げて係止したときに、前記傾斜板４３側の湾曲部４２と、前記立板４４側の湾曲部４２′にそれぞれ設けた開孔４６、４６′に通したチューブＫを、前記傾斜板４３と前記底部４１との対抗面にそれぞれ設けた突起４７、４８とにより挟持（閉塞）できるようになっている。例えば、バイエル瓶と患者を結ぶチューブの途中に適用することによりチューブ内を通る薬液の閉塞や開放が適時できるようになっている。
【０００３】
ところが、前記傾斜板４３の先端４３′を押し下げて、前記立板４４の内面に設けた係止部４５に係止したときに、前記チューブＫが左右に逃げることがあると、前記突起４７、４８によりチューブＫを正しく挟持できないことがあった。
【０００４】
これを解消するために、いままでに幾つかの技術が開示されている。その代表的な一つは実用新案登録第３１１６０４６である。これは底部と傾斜板の対抗面にそれぞれ設けた突起の近傍に馬蹄状のチューブ保持部を設けてなるもので、チューブを逃がさずに、上下の突起により正しく挟持できるようにしている。二つ目は、特開２００５−２７７２１である。これは底部の幅方向両縁に、チューブを挟んで対抗する側壁を設けたもので、側壁によりチューブが左右に逃れないようにしている。
【特許文献１】実用新案登録第３１１６０４６号公報
【特許文献２】特開２００５−２７７２１号公報
【発明の開示】
【発明が解決しようとする課題】
【０００５】
しかしながら、特許文献１及び２は、共にチューブが左右に逃げ難くしている点では優れているが、図４からも判る如く、互いに係合する傾斜板の先端と、立板の内面に設けた係止部との距離Ｈが大きく開いている状態では、傾斜板が横揺れしてしまい、傾斜板の先端と立板の係止部とを係止させるときに、チューブを正しく挟持できず、チューブ内を流れる薬液を確実に閉塞できない虞があった。
【０００６】
本発明は、上記課題を解決するためのもので、その目的とするところは、傾斜板の先端を押して立板の係止部に係止させるときに、傾斜板が横揺れしないようにした医療用クランプ具を提供することにある。
【課題を解決するための手段】
【０００７】
上記目的を達成するため、本発明に係る医療用クランプ具は、底部の長手方向における一端から他端側に向けて斜め上方に延出された傾斜板と、前記底部の前記長手方向における他端側で上方に立ち上げた立板と、前記傾斜板及び前記底部の間に設けられ、チューブが挿通される第１開孔を有する第１湾曲部と、前記立板及び前記底部の間に設けられ、前記チューブが挿通される第２開孔を有する第２湾曲部と、前記底部の上面に設けた第１突起と、前記傾斜板が前記底部に向けて押圧されたことを受けて前記傾斜板とともに前記底部に向けて移動し、前記傾斜板の先端が前記立板の係止部に係止したときに、前記第１開孔及び前記第２開孔に通された前記チューブを前記第１突起との間で挟持して、該チューブ内の通路を閉塞する、前記傾斜板の下面に設けた第２突起と、一端部が前記第２突起の基部に、他端部が前記第２湾曲部近傍となる位置で前記底部の上面に各々連結され、前記第１開孔及び前記第２開孔に前記チューブを通す過程で該チューブが挿通される二股部を前記他端部に有する、前記立板に向けて突出するように湾曲した弧状梁と、を設けたことを特徴とし、傾斜板が横揺れしないように構成した。
【０００８】
また、請求項２に係る医療用クランプ具は、前記弧状梁が、前記傾斜板と前記底部とともに一体成型されていることを特徴とし、傾斜板の傾斜角度や弾力性が一定化するように構成した。
【０００９】
さらに、請求項３に係る医療用クランプ具は、前記弧状梁が、前記傾斜板の先端を押し下げて前記立板の係止部に係止させるときに、立板側へ向けて膨らむように畳まれることを特徴とし、傾斜板と底部との対向面に設けた突起によるチューブ挟持するときに、弧状梁が挟持の邪魔にならないように構成した。
【発明の効果】
【００１０】
本発明によれば、前記傾斜板と前記底部とが弧状梁により繋がれているので、傾斜板の先端と立板の係止部への係止が正しく行われるばかりでなく、前記傾斜板の突起とチューブとの距離が定まり、挟持時にチューブ上で横滑りしないという優れた効果を奏するものである。
【００１１】
また、請求項２に係る発明によれば、前記傾斜板と底板と弧状梁とが分解することがなく、全体的に軽量化しても必要な機能が得られるという優れた効果を奏するものである。
【００１２】
さらに、請求項３に係る発明によれば、前記傾斜板の先端を押し下げて前記立板の内面に設けた係止部に係止したときに、傾斜板と底部との対向面に設けた突起によるチューブを挟持するが、このとき弧状梁はチューブを抱えながら立板側に膨らむように畳まれるから、突起によるチューブの挟持に邪魔にならないという優れた効果を奏するものである。
【発明を実施するための最良の形態】
【００１３】
次に、本発明の実施の態様について図面を参照して説明する。図１は本願クランプ具の斜視図、図２は同正面図、図３はチューブの挟持時の断面図である。
【００１４】
１は本願クランプ具、２はほぼ長方形をした底部である。底部２の長さ方向の一端側から湾曲部３を介して斜め上方に延出した傾斜板４と、前記底部２の他端側から湾曲部３′を介して立上げた立板５とを対向して設け、該立板５の上端には前記傾斜板４の先端４′を下向きに押したときに滑る急斜面部５′と、該急斜面部５′に続いた係止部６が設けられている。
【００１５】
したがって、前記立板５の急斜面部５′に前記傾斜板４の先端４′を当てて下向き滑らせると、該立板５はいったん外側に反り返る。しかして、前記傾斜板４の先端４′が急斜面部５′を通過すると、立板５は旧位に復帰するから急斜面部５′に続いた係止部６に係止することとなる（図３参照）。
【００１６】
前記傾斜板４側の湾曲部３と、前記立板５側の湾曲部３′に設けた開孔７、７′に通されているチューブＫは、前記傾斜板４と前記底部２との対向面にそれぞれ設けた突起８、９により挟持されるようになっている。この挟持は前記傾斜板４の先端４′を前記立板５の係止部６に係止することにより維持される。
【００１７】
前記傾斜板４側の突起基部１０と、前記立板５側の底部上面部１１との間に弧状梁１２が渡設されている。該弧状梁１２には、その底部２側が二股部１３になっている。該二股部１３は、前記開孔７、７′とともにチューブＫを通すためのもので、該チューブＫが横方向にずれないようにしている。
【００１８】
前記弧状梁１２の存在は、前記傾斜板４の突起８と前記底板２との距離Ｓを短く保ち、前記開孔７、７′に通されているチューブＫと前記突起８とを接近させている。つまり、前記傾斜板４の先端４′を下向きに押して、前記立板５の係止部６に係止させるに際して突起８と９とによりチューブＫを正し挟持できるようにしている。
【００１９】
前記弧状梁１２は、ある程度の強度があればフィルム状のものでもよいが、本実施例では、柔軟にして弾力性のある板状のものとし、前記傾斜板４と底板２とともに一体成型している。これは傾斜板４の傾斜角度や弧状梁１２自身に弾力性を備えるようにするためである。
【００２０】
前記弧状梁１２は、前記傾斜板４の先端４′を押し下げて、前記立板５の係止部６に係止させて傾斜板と底部との対向面に設けた突起８、９によりチューブＫを挟持させたときに、立板５側へ向けて膨らむように畳まれるようになっている。これは前記突起８、９によるチューブＫの挟持に邪魔にならないようにしているとともに、前記傾斜板４の先端４′と前記立板５の係止部６との係止を解除したときに、前記傾斜板４の先端４′を弧状梁１２の弾性により跳ねあげて旧位に戻すためである。
【００２１】
次に、本願クランプ具１の作用を説明する。まず、本願クランプ具１の湾曲部３、３′に設けた開孔７、７′及び弧状梁１０の二股部１３に、例えば、バイエル瓶と患者とを結ぶチューブＫを予め通しておく。このとき、チューブＫの上面には前記傾斜板４の突起８が近くに対向し、チューブＫの下面には底部２の突起９が軽く当たっている。
【００２２】
まず、チューブＫの流れる薬液を止める必要がある。これには前記傾斜板４の先端４′を下向きに押して前記立板５の急斜面部５′を滑らせて該立板５を素材の弾性に抗して外向きに反らせて急斜面部５′を乗り越えると反発により立板５が復帰して係止部６に係止して前記傾斜板４の突起８と底部２の突起９によりチューブＫを挟持（閉塞）する。
【００２３】
このとき、前記弧状梁１２は、チューブＫを抱えた状態で立板５側へ向けて膨らむように畳まれる。したがって、前記突起８、９によるチューブＫの挟持に邪魔にならないし、前記傾斜板４の先端４′を前記立板５の係止部６から係止を解除したときに、前記傾斜板４の先端４′を跳ねあげて旧位に戻
すことができる。
【００２４】
次いで、チューブＫの先端にある注射針（図示せず）を患者に繋げた後、再度、前記傾斜板４の先端４′を下向きに押すとともに、前記立板５の係止部６から係止を解除する。これによりバイエル瓶と患者とはチューブＫを介して繋がる。勿論、チューブＫを流れる薬剤の量は、他に備えた流量調整器により行われる。
【産業上の利用可能性】
【００２５】
本願クランプ具１は、チューブを流れる薬液を必要に応じて挟持し、閉塞できるようにしたもので、医療業界その他広く産業上の利用可能性は高いものである。
【図面の簡単な説明】
【００２６】
【図１】本願クランプ具の斜視図である。
【図２】本願クランプ具の正面図である。
【図３】チューブの挟持時の断面図である。
【図４】従来クランプ具の斜視図である。
【符号の説明】
【００２７】
１  本願クランプ具
２  底部
３、３′  湾曲部
４  傾斜板
４′  先端
５  立板
５′  急斜面部
６  係止部
７、７′  開孔
８、９  突起
１０  突起基部
１１  底部上面部
１２  弧状梁
１３  二股部
Ｋ  チューブ
【図１】
0006416556.tif 000002
【図２】
0006416556.tif 000003
【図３】
0006416556.tif 000004
【図４】
0006416556.tif 000005